(57)【要約】【課題】情報記憶媒体との間にて送受信する電波の到達可能距離を可変可能にすることによって、複数の情報記憶媒体から読取対象の情報を一括して非接触で読み取る情報読取作業を効率的に行うことができること。【解決手段】交信領域内の情報記憶媒体との間で所定の電波を送受信するアンテナ９と、アンテナ９に接続され、抵抗値を切り替えることによってアンテナ９のＱ値を切り替える可変抵抗器８と、可変抵抗器８に対して該抵抗値の切替制御を行って、アンテナ９のＱ値を可変に制御する制御部１２と、を備える。【選択図】        図１
2005323178.tif 000002
【特許請求の範囲】
【請求項１】
交信領域内の情報記憶媒体との間で所定の電波を送受信するアンテナと、
前記アンテナに接続され、前記アンテナのＱ値を変化させるＱ値可変手段と、
前記Ｑ値可変手段に対して前記Ｑ値を可変に制御する制御手段と、
を備えたことを特徴とする情報端末装置。
【請求項２】
前記Ｑ値可変手段は、可変抵抗器であることを特徴とする請求項１に記載の情報端末装置。
【請求項３】
前記所定の電波の到達距離に関する指定情報を入力する入力手段を備え、前記制御手段は、前記指定情報を検知した場合に、前記Ｑ値可変手段に対して前記アンテナのＱ値を前記指定情報に対応するＱ値に変化させる制御を行うことを特徴とする請求項１または２に記載の情報端末装置。
【請求項４】
前記制御手段は、前記所定の電波を介して前記情報記憶媒体から情報を非接触で読み取る情報読取処理の開始指示に関する指示情報を検知した場合、前記指示情報を検知してから所定時間毎に、前記Ｑ値可変手段に対して前記Ｑ値を変化させる制御を行うことを特徴とする請求項１または２に記載の情報端末装置。
【請求項５】
前記制御手段は、前記Ｑ値可変手段に対し、前記Ｑ値を低い値から高い値に変化させる制御を行うことを特徴とする請求項４に記載の情報端末装置。
【発明の詳細な説明】
【技術分野】
【０００１】
この発明は、交信領域内に存在する情報記憶媒体との間で送受信される所定の電波を介して、この情報記憶媒体に記憶された情報を読み取りまたはこの情報記憶媒体に情報を書き込む情報端末装置に関するものである。
【背景技術】
【０００２】
従来から、不揮発性メモリを有する小型の集積回路と無線通信用のアンテナとを組み合わせたＲＦＩＤ（Radio Frequency Identification）タグまたはカード状の樹脂製板にＲＦＩＤタグを埋設した非接触ＩＣカード等の情報記憶媒体と、この情報記憶媒体に記憶された情報を読み取りまたはこの情報記憶媒体に所望の情報を書き込むリード／ライト機能を備えたリーダライタまたはＰＤＡ（Personal Digital Assistant）等の情報端末装置とを用いたＲＦＩＤシステムが開発されている。
【０００３】
一般に、情報端末装置は、交信領域内に存在する情報記憶媒体に対して電磁誘導方式またはマイクロ波方式等による無線通信を行い、この無線通信において送受信される所定の電波を介して、この情報記憶媒体に記憶された情報を読み取りまたはこの情報記憶媒体に所望の情報を書き込む。この場合、情報端末装置は、たとえば１２５〜５３０［ｋＨｚ］帯、４．９２［ＭＨｚ］帯、１３．５６［ＭＨｚ］帯、または２．４５［ＧＨｚ］帯等の周波数を共振周波数として設定されたアンテナを有し、かつ情報記憶媒体は、この情報端末装置のアンテナとほぼ同じ共振周波数に設定されたアンテナを有する。
【０００４】
このような情報記憶媒体と情報端末装置とを用いたＲＦＩＤシステムには、複数の情報記憶媒体にそれぞれ記憶された各情報を一括して認識できる点、情報記憶媒体に記憶できる情報量（６４〜数１００バイト）が多い点、情報記憶媒体に記憶された情報を更新できる点、情報記憶媒体を超小型に構成できる点、情報記憶媒体と情報端末装置との間に障害物が存在しても情報通信が可能である点等の利点がある。このため、流通業界をはじめとする様々な業種において、このＲＦＩＤシステムの有益性が注目されている。このような情報端末装置の一例として、たとえば、アンテナコイルに所定の電力を供給する場合の電力損失を軽減することによって、このアンテナコイルが効率的に電波を送信できるようにし、通信距離すなわち電波の到達距離の減少を抑制できるリーダライタがある（特許文献１参照）。
【０００５】
【特許文献１】特開２００１−１８５９３９号公報
【発明の開示】
【発明が解決しようとする課題】
【０００６】
しかしながら、上述した特許文献１に記載されたリーダライタに例示される従来の情報端末装置では、所定の電波を介して複数の情報記憶媒体から情報を一括して読み取るために、これら複数の情報記憶媒体に送信する電波の到達距離を可能な限り伸ばすように電波出力制御を行う場合が多い。このため、使用者は、複数の情報記憶媒体から情報を一括して非接触で読み取る情報読取作業を行った場合に、これら複数の情報記憶媒体のうち、この情報読取作業が行われた情報記憶媒体と、この情報読取作業が行われていない情報記憶媒体とを区別することが困難な場合が多い。この場合、この情報読取作業によって情報が読み取れた情報記憶媒体と読み取れなかった情報記憶媒体とを判別する作業が煩雑化し、これに起因して、この情報読取作業を達成するために多大な時間と労力がかかるという問題点があった。
【０００７】
この発明は、上記事情に鑑みてなされたものであって、情報記憶媒体との間にて送受信する電波の到達可能距離を可変可能にすることによって、複数の情報記憶媒体から読取対象の情報を一括して非接触で読み取る情報読取作業を効率的に行うことができる情報端末装置を提供することを目的とする。
【課題を解決するための手段】
【０００８】
上述した課題を解決し、目的を達成するために、請求項１にかかる情報端末装置は、交信領域内の情報記憶媒体との間で所定の電波を送受信するアンテナと、前記アンテナに接続され、前記アンテナのＱ値を変化させるＱ値可変手段と、前記Ｑ値可変手段に対して前記Ｑ値を可変に制御する制御手段と、を備えたことを特徴とする。
【０００９】
また、請求項２にかかる情報端末装置は、上記発明において、前記Ｑ値可変手段は、可変抵抗器であることを特徴とする。
【００１０】
また、請求項３にかかる情報端末装置は、上記発明において、前記所定の電波の到達距離に関する指定情報を入力する入力手段を備え、前記制御手段は、前記指定情報を検知した場合に、前記Ｑ値可変手段に対して前記アンテナのＱ値を前記指定情報に対応するＱ値に変化させる制御を行うことを特徴とする。
【００１１】
また、請求項４にかかる情報端末装置は、上記発明において、前記制御手段は、前記所定の電波を介して前記情報記憶媒体から情報を非接触で読み取る情報読取処理の開始指示に関する指示情報を検知した場合、前記指示情報を検知してから所定時間毎に、前記Ｑ値可変手段に対して前記Ｑ値を変化させる制御を行うことを特徴とする。
【００１２】
また、請求項５にかかる情報端末装置は、上記発明において、前記制御手段は、前記Ｑ値可変手段に対し、前記Ｑ値を低い値から高い値に変化させる制御を行うことを特徴とする。
【発明の効果】
【００１３】
この発明によれば、交信領域内の情報記憶媒体との間で所定の電波を送受信するアンテナのＱ値を変化させることによって、このアンテナが出力する電波の到達距離を容易に変化させることができるので、複数の情報記憶媒体群のうち、当該情報端末装置を基点としてこの変化させた到達距離までに存在する情報記憶媒体群に対して選択的に情報読取処理を行うことができ、これによって、この情報読取処理が行われた情報記憶媒体群について読取対象の情報を読み取れた情報記憶媒体と読み取れなかった情報記憶媒体とを容易に判別することができ、当該情報端末装置を基点として所望の電波の到達距離までに存在する情報記憶媒体群から読取対象の情報を一括して非接触で読み取る情報読取作業を効率的に実行可能な情報端末装置を実現できるという効果を奏する。
【発明を実施するための最良の形態】
【００１４】
以下、添付図面を参照して、この発明にかかる情報端末装置の好適な実施の形態を詳細に説明する。なお、この実施の形態では、情報端末装置の一例として携帯型のリーダライタを用いた場合を例示するが、このことによって、この発明が限定されるものではない。
【００１５】
（実施の形態）
図１は、この発明の実施の形態である情報端末装置の一構成例を示すブロック図である。図１において、この情報端末装置１は、入力部２、表示部３、変調回路４、局部発振器５、電力増幅器６、共用器７、可変抵抗器８、アンテナ９、復調回路１０、記憶部１１、および制御部１２を有する。入力部２、表示部３、変調回路４、局部発振器５、可変抵抗器８、復調回路１０、および記憶部１１は、制御部１２と電気的に接続される。変調回路４は、さらに電力増幅器６、共用器７、可変抵抗器８、およびアンテナ９が順次電気的に接続される。局部発振器５は、さらに変調回路４および復調回路１０と電気的に接続される。復調回路１０は、さらに共用器７、可変抵抗器８、およびアンテナ９が順次電気的に接続される。
【００１６】
入力部２は、複数の入力キー、入力レバー、または切替スイッチ等を用いて実現され、使用者が入力部２を用いて所望の情報を入力する操作を行った場合に、この操作によって受け付けた入力情報を制御部１２に送信する。たとえば、使用者が距離指定情報の入力操作を行った場合、入力部２は、この使用者の入力操作によって受け付けた距離指定情報を制御部１２に送信する。また、使用者が読取指示情報、書込指示情報、または書込情報の入力操作を行った場合、入力部２は、この使用者の入力操作によって受け付けた読取指示情報、書込指示情報、または書込情報を制御部１２に送信する。
【００１７】
なお、この距離指定情報は、アンテナ９が送信する電波の到達距離に関する指定情報である。たとえば、この到達距離が情報端末装置１を基点に短距離、中距離、長距離に種別された場合、この距離指定情報は、この到達距離として、これら短距離、中距離、または長距離のいずれかを指定する情報に対応する。また、この読取指示情報は、ＲＦＩＤタグまたは非接触ＩＣカード等の情報記憶媒体に記憶された情報を所定の電波を介して読み取る処理（情報読取処理）を指示する指示情報である。さらに、この書込情報は、所定の電波を介して情報記憶媒体に書き込む情報であり、この書込指示情報は、所定の電波を介して情報記憶媒体に書込情報を書き込む処理（情報書込処理）を指示する指示情報である。
【００１８】
表示部３は、液晶表示装置（ＬＣＤ）または有機ＥＬパネル等の薄型ディスプレイを用いて実現され、制御部１２の制御のもと、各種情報を表示するように機能する。たとえば、表示部３は、制御部１２の制御のもと、使用者が入力部２を用いて入力した入力情報または情報読取処理によって情報記憶媒体から読み取った情報等を表示出力する。また、表示部３は、情報端末装置１に処理動作または情報通信に関する各種エラーが発生した場合、制御部１２の制御のもと、このエラーを報知する所定のエラー表示を表示出力する。なお、表示部３は、制御部１２の制御のもと、各種情報入力を受け付けるタッチパネルを表示してもよい。この場合、表示部３は、使用者がこのタッチパネルを用いて情報を入力する操作を行えば、この操作によって受け付けた情報を制御部１２に送信する入力部として機能する。
【００１９】
変調回路４は、制御部１２の制御のもと、局部発振器５が発振する所定周波数の信号を用い、制御部１２から入力された電気信号を変調するように機能する。たとえば、変調回路４は、上述した読取指示情報または書込指示情報に対応する指示信号Ｓ２が制御部１２から入力された場合、制御部１２の制御のもと、局部発振器５が発振する所定周波数の信号を用いて指示信号Ｓ２を変調する。この場合、変調回路４は、この指示信号Ｓ２を変調した電気信号として指示信号Ｓ３を電力増幅器６に送信する。
【００２０】
電力増幅器６は、変調回路４から入力された電気信号の電力を所定の電力値に増幅するように機能する。たとえば、電力増幅器６は、上述した指示信号Ｓ３が変調回路４から入力された場合、この入力された指示信号Ｓ３の電力を所定の電力値に増幅する。この場合、電力増幅器６は、指示信号Ｓ２の電力を所定の電力値に増幅した電気信号として、指示信号Ｓ４を出力する。その後、電力増幅器６が出力した指示信号Ｓ４は、共用器７を介して可変抵抗器８に入力される。
【００２１】
可変抵抗器８は、所定の抵抗値に設定された１以上の抵抗器と、該抵抗器に接続される配線の電気的なオンオフ状態を切り替えるスイッチ回路とを用いて実現される。このスイッチ回路は、１以上のトランジスタまたは１以上のリレー等を用いて実現され、制御部１２の制御のもと、このオンオフ状態の切替駆動を行う。この場合、可変抵抗器８の合成抵抗値Ｒ０は、このスイッチ回路が制御部１２の制御のもとに切り替えたこのオンオフ状態に応じて切り替えられる。すなわち、可変抵抗器８は、制御部１２の制御のもと、この合成抵抗値Ｒ０を切り替えるように機能する。また、アンテナ９を構成するコンデンサの静電容量とコイルのインダクタンスとが一定である場合、この合成抵抗値Ｒ０は、アンテナ９の共振現象の鋭さを表すＱ値を決定する。したがって、可変抵抗器８は、制御部１２の制御のもと、この合成抵抗値Ｒ０を切り替えることによって、アンテナ９のＱ値を切り替えるように機能する。この場合、可変抵抗器８は、このオンオフ状態を切り替える駆動制御信号として制御部１２から抵抗切替信号Ｓ１を受信するとともに、この受信した抵抗切替信号Ｓ１に基づき、合成抵抗値Ｒ０を切り替える。これによって、可変抵抗器８は、この抵抗切替信号Ｓ１に基づき、アンテナ９のＱ値を切り替える。その後、可変抵抗器８は、このアンテナ９のＱ値を切り替えた状態において、電力増幅器６から入力された指示信号Ｓ４をアンテナ９に送信する。
【００２２】
アンテナ９は、静電容量Ｃ１を有するコンデンサ９ａとインダクタンスＬ１を有するコイル９ｂとが直列接続された直列共振回路を用いて実現される。コンデンサ９ａは、一端が可変抵抗器８と電気的に接続され、他端がコイル９ｂと電気的に接続される。さらに、コイル９ｂは、コンデンサ９ａとの接続端の他端がアースに接続される。したがって、アンテナ９の共振周波数ｆ１は、コンデンサ９ａの静電容量Ｃ１とコイル９ｂのインダクタンスＬ１とによって決定される。この共振周波数ｆ１は、次式（１）によって表される。なお、この共振周波数ｆ１は、処理対象の情報記憶媒体に設定された共振周波数とほぼ同じであり、たとえば１２５〜５３０［ｋＨｚ］帯、４．９２［ＭＨｚ］帯、１３．５６［ＭＨｚ］帯、または２．４５［ＧＨｚ］帯の周波数が用いられる。
ｆ１＝１／｛２π×（Ｌ１×Ｃ１）1/2｝                          ・・・（１）
また、コンデンサ９ａの静電容量Ｃ１とコイル９ｂのインダクタンスＬ１とが一定である場合、アンテナ９のＱ値は、上述したように、可変抵抗器８の合成抵抗値Ｒ０に応じて変化する。このアンテナ９のＱ値は、次式（２）によって表される。
Ｑ＝｛（Ｃ１×Ｌ１）1/2｝／Ｒ０                                ・・・（２）
なお、この式（２）において、静電容量Ｃ１およびインダクタンスＬ１は一定である。また、合成抵抗値Ｒ０は、上述した抵抗切替信号Ｓ１に基づき変化する。
【００２３】
このＱ値が切り替えられた状態において、アンテナ９は、上述した指示信号Ｓ４が共用器７および可変抵抗器８を介して電力増幅器６から入力された場合、この指示信号Ｓ４に対応する電波を出力する。この場合、アンテナ９は、この指示信号Ｓ４に対応する電波であって、上述した式（１）に基づく共振周波数ｆ１と上述した式（２）に基づくＱ値とによって決定される強度（たとえば電界強度または磁界強度等）の電波を出力する。その後、アンテナ９が出力した電波は、アンテナ９の交信領域内すなわちこの電波の到達距離内に存在する情報記憶媒体に受信されるとともに、この情報記憶媒体を活性化する。これによって、アンテナ９は、この情報記憶媒体との間で所定の電波を送受信する。
【００２４】
ここで、上述した指示信号Ｓ４に対応する指示情報が、情報記憶媒体とアンテナ９との間で送受信される所定の電波を介して、この情報記憶媒体に入力された場合、この情報記憶媒体は、この入力された指示情報に基づく処理を行う。たとえば、この情報記憶媒体は、上述した書込指示情報が所定の電波を介して入力された場合、この入力された書込指示情報による指示のもと、この書込指示情報に対応する書込情報を記憶する処理を行う。これによって、制御部１２は、この情報記憶媒体に対する情報書込処理を達成する。
【００２５】
一方、この情報記憶媒体は、上述した読取指示情報が所定の電波を介して入力された場合、この入力された読取指示情報によって読取指示された情報を内部メモリから読み取り、この読み取った情報（読取情報）に対応する電波をアンテナ９に送信する。この場合、アンテナ９は、この情報記憶媒体から読取情報に対応する電波を受信するとともに、この受信した電波に対応する電気信号を生成出力する。その後、アンテナ９によって生成出力された電気信号は、可変抵抗器８と共用器７とを順次通過し、上述した読取情報に対応するデータ信号Ｓ５として復調回路１０に入力される。
【００２６】
復調回路１０は、制御部１２の制御のもと、局部発振器５が発振する所定周波数の信号を用い、可変抵抗器８と共用器７とを介してアンテナ９から入力された電気信号を復調するように機能する。たとえば、復調回路１０は、上述した読取情報に対応するデータ信号Ｓ５がアンテナ９から入力された場合、制御部１２の制御のもと、局部発振器５が発振する所定周波数の信号を用いてデータ信号Ｓ５を復調する。この場合、復調回路１０は、このデータ信号Ｓ５を復調した電気信号としてデータ信号Ｓ６を制御部１２に送信する。
【００２７】
記憶部１１は、ＥＰＲＯＭ（Erasable Programmable Read Only Memory）、ＥＥＰＲＯＭ（Electronic EPROM）、またはフラッシュメモリ等の再書き込み可能な各種ＲＯＭを用いて実現され、制御部１２の制御のもと、制御部１２から入力された各種情報を記憶する。この場合、記憶部１１は、制御部１２の制御のもと、外部の情報記憶媒体から読み取った読取情報あるいは入力部２または表示部３から入力された入力情報等の各種情報を記憶する。また、記憶部１１は、制御部１２の制御のもと、記憶した各種情報を制御部１２に送信する。
【００２８】
制御部１２は、各種処理プログラムを実行するＣＰＵ（Central Processing Unit）と、このＣＰＵが実行する各種処理プログラムを記憶する各種ＲＯＭと、これら各種処理プログラムにおける演算パラメータ、外部の情報記憶媒体から読み取った読取情報、あるいは入力部２または表示部３から入力された入力情報等の各種情報を一時的に記憶する各種ＲＡＭ（Random Access Memory）とを用いて実現される。制御部１２は、情報端末装置１を構成する各構成部の処理または動作を制御する。この場合、制御部１２は、これらの各構成部に入出力される情報について所定の入出力制御を行い、かつ、この情報に対して所定の情報処理を行う。
【００２９】
たとえば、制御部１２は、上述した距離指定情報が入力部２または表示部３から入力された場合、この入力された距離指定情報を検知するとともに、この入力された距離指定情報によって指定される距離がアンテナ９から出力される電波の到達距離に対応するように、可変抵抗器８の合成抵抗値Ｒ０の切替制御を行う。この場合、制御部１２は、この切替制御を行う駆動制御信号として、この入力された距離指定情報に基づく抵抗切替信号Ｓ１を可変抵抗器８に送信する。可変抵抗器８は、上述したように、この抵抗切替信号Ｓ１に基づき、合成抵抗値Ｒ０を切り替える。これによって、可変抵抗器８は、この抵抗切替信号Ｓ１に基づきアンテナ９のＱ値を切り替える。すなわち、制御部１２は、この距離指定情報に基づく抵抗切替信号Ｓ１を可変抵抗器８に送信して可変抵抗器８の合成抵抗値Ｒ０の切替制御を行うことによって、アンテナ９のＱ値を可変に制御する。この場合、抵抗切替信号Ｓ１は、可変抵抗器８に対し、合成抵抗値Ｒ０の切替制御を行う駆動制御信号として送信されるとともに、アンテナ９のＱ値を可変に制御する制御信号として送信される。
【００３０】
また、制御部１２は、書込指示情報に対応する指示信号Ｓ２を変調回路４に送信し、上述したように、交信領域内の情報記憶媒体とアンテナ９との間で送受信される所定の電波を介して、この情報記憶媒体に書込指示情報を入力することによって、この書込指示情報に基づく情報書込処理を達成する。さらに、制御部１２は、読取指示情報に対応する指示信号Ｓ２を変調回路４に送信し、上述したように、交信領域内の情報記憶媒体とアンテナ９との間で送受信される所定の電波を介して、この情報記憶媒体に読取指示情報を入力し、その後、この読取指示情報に基づくデータ信号Ｓ６を復調回路１０から受信することによって、この情報記憶媒体から読み取った読取情報を得る。その後、制御部１２は、このデータ信号Ｓ６に対応する読取情報を表示部３に表示出力し、この読取指示情報に基づく情報読取処理を達成する。
【００３１】
つぎに、可変抵抗器８の構成についてさらに詳細に説明する。図２は、可変抵抗器８の一構成例を模式的に示す模式図である。可変抵抗器８は、上述したように、所定の抵抗値に設定された１以上の抵抗器と、該抵抗器に接続される配線の電気的なオンオフ状態を切り替えるスイッチ回路とを用いて実現される。たとえば、可変抵抗器８は、図２に示すように、抵抗値Ｒ１に設定された抵抗器８ａ、抵抗値Ｒ２に設定された抵抗器８ｂ、抵抗値Ｒ２よりも高い抵抗値Ｒ３に設定された抵抗器８ｃ、トランジスタ８ｄ〜８ｆ、および切替制御回路８ｇを有する。抵抗器８ａは、共用器７およびコンデンサ９ａと直列に接続される。抵抗器８ｂは、抵抗器８ａと並列に接続される。抵抗器８ｃは、抵抗器８ａおよび抵抗器８ｂと並列に接続される。また、トランジスタ８ｄは、抵抗器８ａと並列に接続される。トランジスタ８ｅは、抵抗器８ｂと直列に接続される。トランジスタ８ｆは、抵抗器８ｃと直列に接続される。切替制御回路８ｇは、トランジスタ８ｄ〜８ｆと電気的に接続され、トランジスタ８ｄ〜８ｆの切替駆動を制御する。すなわち、トランジスタ８ｄ〜８ｆと切替制御回路８ｇは、抵抗器８ａ〜８ｃにそれぞれ接続される各配線の電気的なオンオフ状態を切り替えるスイッチ回路を構成する。
【００３２】
トランジスタ８ｄは、切替制御回路８ｇの制御のもと、抵抗器８ａと並列に接続されとともにトランジスタ８ｄと直列に接続される配線を閉じた状態（オン状態）に切り替えるオン切替駆動または開いた状態（オフ状態）に切り替えるオフ切替駆動を行う。なお、このトランジスタ８ｄによってオンオフ状態が切り替えられる配線は、所定の抵抗値に設定された抵抗器が直列に接続されていない配線であり、その抵抗値を無視できる配線（零抵抗配線）である。トランジスタ８ｅは、切替制御回路８ｇの制御のもと、抵抗器８ｂとの直列配線についてオン切替駆動またはオフ切替駆動を行って、抵抗器８ｂのオンオフ状態を切り替える。トランジスタ８ｆは、切替制御回路８ｇの制御のもと、抵抗器８ｃとの直列配線についてオン切替駆動またはオフ切替駆動を行って、抵抗器８ｃのオンオフ状態を切り替える。
【００３３】
切替制御回路８ｇは、制御部１２から入力された抵抗切替信号Ｓ１に基づき、上述したトランジスタ８ｄ〜８ｆの切替駆動を制御する。たとえば、上述した到達距離として長距離を指定する距離指定情報が制御部１２に入力され、制御部１２がこの距離指定情報に基づく抵抗切替信号Ｓ１を可変抵抗器８に送信した場合、切替制御回路８ｇは、この抵抗切替信号Ｓ１に基づき、オン切替駆動を行う駆動制御信号をトランジスタ８ｄに送信するとともに、オフ切替駆動を行う駆動制御信号をトランジスタ８ｅ，８ｆに送信する。この場合、トランジスタ８ｄは、切替制御回路８ｇの制御のもと、零抵抗配線をオン状態に切り替える。これと同時に、トランジスタ８ｅは、切替制御回路８ｇの制御のもと、抵抗器８ｂをオフ状態に切り替え、さらに、トランジスタ８ｆは、切替制御回路８ｇの制御のもと、抵抗器８ｃをオフ状態に切り替える。これによって、可変抵抗器８の合成抵抗値Ｒ０は、抵抗器８ａの抵抗値Ｒ１と零抵抗配線の抵抗値（ほぼ零）との合成抵抗値Ｒ０(長)に切り替えられる。この場合、この合成抵抗値Ｒ０(長)は、ほぼ零になる。なお、この合成抵抗値Ｒ０(長)は、アンテナ９が出力する電波の到達距離が上述した距離指定情報に基づく長距離に対応する程度に、この電波の電界強度を十分大きくするＱ値を決定する。
【００３４】
また、上述した到達距離として中距離を指定する距離指定情報が制御部１２に入力され、制御部１２がこの距離指定情報に基づく抵抗切替信号Ｓ１を可変抵抗器８に送信した場合、切替制御回路８ｇは、この抵抗切替信号Ｓ１に基づき、オン切替駆動を行う駆動制御信号をトランジスタ８ｅに送信するとともに、オフ切替駆動を行う駆動制御信号をトランジスタ８ｄ，８ｆに送信する。この場合、トランジスタ８ｅは、切替制御回路８ｇの制御のもと、抵抗器８ｂをオン状態に切り替える。これと同時に、トランジスタ８ｄは、切替制御回路８ｇの制御のもと、零抵抗配線をオフ状態に切り替え、さらに、トランジスタ８ｆは、切替制御回路８ｇの制御のもと、抵抗器８ｃをオフ状態に切り替える。これによって、可変抵抗器８の合成抵抗値Ｒ０は、抵抗器８ａの抵抗値Ｒ１と抵抗器８ｂの抵抗値Ｒ２との合成抵抗値Ｒ０(中)に切り替えられる。この場合、この合成抵抗値Ｒ０(中)は、上述した合成抵抗値Ｒ０(長)よりも大きい値であり、次式（３）によって表される。
Ｒ０(中)＝（Ｒ１×Ｒ２）／（Ｒ１＋Ｒ２）                      ・・・（３）
なお、この合成抵抗値Ｒ０(中)は、アンテナ９が出力する電波の到達距離が上述した距離指定情報に基づく中距離に対応する程度に、この電波の電界強度を大きくするＱ値を決定する。この場合、この合成抵抗値Ｒ０(中)によって決定されるＱ値は、上述した合成抵抗値Ｒ０(長)によって決定されるＱ値に比して小さい値となる。
【００３５】
さらに、上述した到達距離として短距離を指定する距離指定情報が制御部１２に入力され、制御部１２がこの距離指定情報に基づく抵抗切替信号Ｓ１を可変抵抗器８に送信した場合、切替制御回路８ｇは、この抵抗切替信号Ｓ１に基づき、オン切替駆動を行う駆動制御信号をトランジスタ８ｆに送信するとともに、オフ切替駆動を行う駆動制御信号をトランジスタ８ｄ，８ｅに送信する。この場合、トランジスタ８ｆは、切替制御回路８ｇの制御のもと、抵抗器８ｃをオン状態に切り替える。これと同時に、トランジスタ８ｄは、切替制御回路８ｇの制御のもと、零抵抗配線をオフ状態に切り替え、さらに、トランジスタ８ｅは、切替制御回路８ｇの制御のもと、抵抗器８ｂをオフ状態に切り替える。これによって、可変抵抗器８の合成抵抗値Ｒ０は、抵抗器８ａの抵抗値Ｒ１と抵抗器８ｃの抵抗値Ｒ３との合成抵抗値Ｒ０(短)に切り替えられる。この場合、この合成抵抗値Ｒ０(短)は、上述した合成抵抗値Ｒ０(中)よりも大きい値であり、次式（４）によって表される。
Ｒ０(短)＝（Ｒ１×Ｒ３）／（Ｒ１＋Ｒ３）                      ・・・（４）
なお、この合成抵抗値Ｒ０(短)は、アンテナ９が出力する電波の到達距離が上述した距離指定情報に基づく短距離に対応する程度に、この電波の電界強度を大きくするＱ値を決定する。この場合、この合成抵抗値Ｒ０(短)によって決定されるＱ値は、上述した合成抵抗値Ｒ０(中)によって決定されるＱ値に比して小さい値となる。
【００３６】
図３は、アンテナ９が出力する電波の周波数ｆに対するこの電波の電界強度Ｅの依存性を例示する図である。なお、この発明の実施の形態では、この周波数ｆに対する電界強度Ｅの依存性を用いて説明するが、これに限らず、この周波数ｆに対する電波の磁界強度の依存性を用いた場合も同様である。この周波数ｆに対する電界強度Ｅの依存性は、可変抵抗器８が切り替えるアンテナ９のＱ値に応じて変化する。たとえば、この周波数ｆに対する電界強度Ｅの依存性は、アンテナ９のＱ値が増加するように切り替えられた場合、共振周波数ｆ１に対応する電界強度Ｅのピークが高くなるとともに、このピークが得られる周波数ｆの帯域幅が狭くなる。一方、アンテナ９のＱ値が減少するように切り替えられた場合、この周波数ｆに対する電界強度Ｅの依存性は、共振周波数ｆ１に対応する電界強度Ｅのピークが低くなるとともに、このピークが得られる周波数ｆの帯域幅が広くなる。なお、アンテナ９のＱ値は、上述した式（２）に基づき、可変抵抗器８の合成抵抗値Ｒ０が減少するように切り替えられた場合に増加し、可変抵抗器８の合成抵抗値Ｒ０が増加するように切り替えられた場合に減少する。
【００３７】
ここで、可変抵抗器８が上述したように合成抵抗値Ｒ０を合成抵抗値Ｒ０(短)、合成抵抗値Ｒ０(中)、または合成抵抗値Ｒ０(長)に切り替える場合、アンテナ９のＱ値は、この合成抵抗値Ｒ０の切り替わりに応じて３段階に切り替わる。たとえば、可変抵抗器８が合成抵抗値Ｒ０を合成抵抗値Ｒ０(短)に切り替えた場合、アンテナ９のＱ値は、この３段階のＱ値のうち最も低い値に切り替わる。この場合、上述した周波数ｆに対する電界強度Ｅの依存性は、図３の曲線ａ１に例示されるように、共振周波数ｆ１に対応する電界強度Ｅのピークが最も低くなるとともに、このピークが得られる周波数ｆの帯域幅が最も広くなる。すなわち、アンテナ９のＱ値が合成抵抗値Ｒ０(短)によって決定された場合、アンテナ９は、共振周波数ｆ１にて発振することによって、図３に示すように、電界強度Ｅ１の電波を出力する。
【００３８】
また、可変抵抗器８が合成抵抗値Ｒ０を合成抵抗値Ｒ０(長)に切り替えた場合、アンテナ９のＱ値は、上述した３段階のＱ値のうち最も高い値に切り替わる。この場合、上述した周波数ｆに対する電界強度Ｅの依存性は、図３の曲線ａ３に例示されるように、共振周波数ｆ１に対応する電界強度Ｅのピークが最も高くなるとともに、このピークが得られる周波数ｆの帯域幅が最も狭くなる。すなわち、アンテナ９のＱ値が合成抵抗値Ｒ０(長)によって決定された場合、アンテナ９は、共振周波数ｆ１にて発振することによって、図３に示すように、上述した電界強度Ｅ１よりも高い電界強度Ｅ３の電波を出力する。
【００３９】
さらに、可変抵抗器８が合成抵抗値Ｒ０を合成抵抗値Ｒ０(中)に切り替えた場合、アンテナ９のＱ値は、合成抵抗値Ｒ０(短)の場合よりも高く、合成抵抗値Ｒ０(長)の場合よりも低いＱ値に切り替わる。この場合、上述した周波数ｆに対する電界強度Ｅの依存性は、図３の曲線ａ２に例示されるように、共振周波数ｆ１に対応する電界強度Ｅのピークが合成抵抗値Ｒ０(短)の場合よりも高く合成抵抗値Ｒ０(長)の場合よりも低くなるとともに、このピークが得られる周波数ｆの帯域幅が合成抵抗値Ｒ０(短)の場合よりも狭く合成抵抗値Ｒ０(長)の場合よりも広くなる。すなわち、アンテナ９のＱ値が合成抵抗値Ｒ０(中)によって決定された場合、アンテナ９は、共振周波数ｆ１にて発振することによって、図３に示すように、上述した電界強度Ｅ１よりも高く電界強度Ｅ３よりも低い電界強度Ｅ２の電波を出力する。
【００４０】
つぎに、制御部１２が、情報端末装置１を基点に所定の距離毎に位置する情報記憶媒体に対し、上述した情報読取処理を行う動作について詳細に説明する。図４は、制御部１２が所定の距離毎に存在する情報記憶媒体に対して情報読取処理を行う状態を模式的に例示する模式図である。図４に示すように、情報記憶媒体群Ｔ１は、上述した情報読取処理における読取方向について、情報端末装置１を基点に短距離の位置、たとえば距離Ｄ１までの位置に存在する。情報記憶媒体群Ｔ２は、この読取方向について、情報端末装置１を基点に中距離の位置、たとえば距離Ｄ２までの位置に存在する。情報記憶媒体群Ｔ３は、この読取方向について、情報端末装置１を基点に長距離の位置、たとえば距離Ｄ３までの位置に存在する。なお、この読取方向は、アンテナ９が処理対象の情報記憶媒体に対して電波を送信する方向であって、この処理対象の情報記憶媒体から情報を読み取る方向である。
【００４１】
ここで、使用者が、入力部２または表示部３を用い、短距離、中距離、および長距離の３段階のうちの短距離を指定する距離指定情報の入力操作を行った場合、制御部１２は、この短距離を指定する距離指定情報が入力部２または表示部３から入力される。この場合、制御部１２は、上述したように、この入力された距離指定情報に基づく抵抗切替信号Ｓ１を可変抵抗器８に送信し、可変抵抗器８の合成抵抗値Ｒ０を合成抵抗値Ｒ０(短)に切り替える切替制御を行う。可変抵抗器８が合成抵抗値Ｒ０を合成抵抗値Ｒ０(短)に切り替えた場合、アンテナ９のＱ値は、上述したように、この合成抵抗値Ｒ０(短)によって決定される。この場合、アンテナ９が出力する電波の電界強度Ｅは、上述したように、図３の曲線ａ１に例示される周波数ｆに対する依存性を示す。
【００４２】
このＱ値が決定された状態において、読取指示情報に対応する指示信号Ｓ４がアンテナ９に送信された場合、アンテナ９は、図３に示したように、この指示信号Ｓ４に対応する電界強度Ｅ１の電波を出力する。この電界強度Ｅ１の電波は、図４に示す距離Ｄ１が到達距離になるので、距離Ｄ１までに存在する情報記憶媒体群Ｔ１に到達できるとともに、この情報記憶媒体群Ｔ１を活性化できる。したがって、制御部１２は、この電界強度Ｅ１の電波を介して、情報記憶媒体群Ｔ１〜Ｔ３のうちの情報記憶媒体群Ｔ１のみに対し、上述した読取情報を得る情報読取処理を達成することができる。
【００４３】
この場合、使用者は、上述した距離指定情報を入力することによって指定した電波の到達距離（距離Ｄ１に例示される短距離）をもとに、情報読取処理が行われた情報記憶媒体群Ｔ１と行われていない情報記憶媒体群Ｔ２，Ｔ３とを容易に見分けることができる。したがって、使用者は、この情報読取処理によって読取情報を読み取り済みの情報記憶媒体と読取情報を読み取れていない情報記憶媒体とを判別するために、情報記憶媒体群Ｔ１〜Ｔ３のうち、この電界強度Ｅ１の電波を介して情報読取処理が行われた情報記憶媒体群Ｔ１のみについて読取情報を読み取ったか否かを確認すればよいので、この確認作業を容易に行うことができる。これによって、使用者は、情報記憶媒体群Ｔ１〜Ｔ３のうちの情報記憶媒体群Ｔ１のみから読取情報を一括して読み取る非接触の情報読取作業を効率的に行うことができる。
【００４４】
一方、使用者が、入力部２または表示部３を用い、短距離、中距離、および長距離の３段階のうちの中距離を指定する距離指定情報の入力操作を行った場合、制御部１２は、この中距離を指定する距離指定情報が入力部２または表示部３から入力される。この場合、制御部１２は、上述したように、この入力された距離指定情報に基づく抵抗切替信号Ｓ１を可変抵抗器８に送信し、可変抵抗器８の合成抵抗値Ｒ０を合成抵抗値Ｒ０(中)に切り替える切替制御を行う。可変抵抗器８が合成抵抗値Ｒ０を合成抵抗値Ｒ０(中)に切り替えた場合、アンテナ９のＱ値は、上述したように、この合成抵抗値Ｒ０(中)によって決定される。この場合、アンテナ９が出力する電波の電界強度Ｅは、上述したように、図３の曲線ａ２に例示される周波数ｆに対する依存性を示す。
【００４５】
このＱ値が決定された状態において、読取指示情報に対応する指示信号Ｓ４がアンテナ９に送信された場合、アンテナ９は、図３に示したように、この指示信号Ｓ４に対応する電界強度Ｅ２の電波を出力する。この電界強度Ｅ２の電波は、図４に示す距離Ｄ２が到達距離になるので、距離Ｄ２までに存在する情報記憶媒体群Ｔ１，Ｔ２に到達できるとともに、この情報記憶媒体群Ｔ１，Ｔ２を活性化できる。したがって、制御部１２は、この電界強度Ｅ２の電波を介して、情報記憶媒体群Ｔ１〜Ｔ３のうちの情報記憶媒体群Ｔ１，Ｔ２に対し、上述した読取情報を得る情報読取処理を達成することができる。
【００４６】
この場合、使用者は、上述した距離指定情報を入力することによって指定した電波の到達距離（距離Ｄ２に例示される中距離）をもとに、情報読取処理が行われた情報記憶媒体群Ｔ１，Ｔ２と行われていない情報記憶媒体群Ｔ３とを容易に見分けることができる。したがって、使用者は、この情報読取処理によって読取情報を読み取り済みの情報記憶媒体と読取情報を読み取れていない情報記憶媒体とを判別するために、情報記憶媒体群Ｔ１〜Ｔ３のうち、この電界強度Ｅ２の電波を介して情報読取処理が行われた情報記憶媒体群Ｔ１，Ｔ２について読取情報を読み取ったか否かを確認すればよいので、この確認作業を容易に行うことができる。これによって、使用者は、情報記憶媒体群Ｔ１〜Ｔ３のうちの情報記憶媒体群Ｔ１，Ｔ２から読取情報を一括して読み取る非接触の情報読取作業を効率的に行うことができる。
【００４７】
また、制御部１２は、情報記憶媒体群Ｔ１，Ｔ２の各情報記憶媒体に割り振られた識別コードを読取情報とともに得た場合、この識別コードを用いることによって、新規に読み取った読取情報と既に読み取り済みの読取情報とを識別することができる。たとえば、使用者が、上述した短距離に位置する情報記憶媒体群Ｔ１のみに対する情報読取作業（短距離の情報読取作業）を行い、その後、上述した中距離までに位置する情報記憶媒体群Ｔ１，Ｔ２に対する情報読取作業（中距離の情報読取作業）を行った場合、制御部１２は、この短距離の情報読取作業において得た識別コードと中距離の情報読取作業において得た識別コードとを用いることによって、この中距離の情報読取作業において新規に読み取った読取情報すなわち情報記憶媒体群Ｔ２から得た読取情報と既に読み取り済みの読取情報すなわち情報記憶媒体群Ｔ１から得た読取情報とを識別することができる。
【００４８】
この場合、使用者は、情報端末装置１を基点に中距離までに位置する情報記憶媒体群（たとえば情報記憶媒体群Ｔ１，Ｔ２）のうち、情報端末装置１を基点に短距離に位置する情報記憶媒体群（たとえば情報記憶媒体群Ｔ１）を除く情報記憶媒体群（すなわち情報記憶媒体群Ｔ２）について読取情報を読み取り済みの情報記憶媒体と読取情報を読み取れていない情報記憶媒体とを判別するために、この中距離の情報読取作業において新規に読み取った読取情報を用い、情報記憶媒体群Ｔ２のみについて読取情報を読み取ったか否かを確認すればよい。これによって、使用者は、この確認作業を容易に行うことができ、情報記憶媒体群Ｔ１〜Ｔ３のうちの情報記憶媒体群Ｔ２の読取情報を一括して読み取る非接触の情報読取作業を効率的に行うことができる。
【００４９】
他方、使用者が、入力部２または表示部３を用い、短距離、中距離、および長距離の３段階のうちの長距離を指定する距離指定情報の入力操作を行った場合、制御部１２は、この長距離を指定する距離指定情報が入力部２または表示部３から入力される。この場合、制御部１２は、上述したように、この入力された距離指定情報に基づく抵抗切替信号Ｓ１を可変抵抗器８に送信し、可変抵抗器８の合成抵抗値Ｒ０を合成抵抗値Ｒ０(長)に切り替える切替制御を行う。可変抵抗器８が合成抵抗値Ｒ０を合成抵抗値Ｒ０(長)に切り替えた場合、アンテナ９のＱ値は、上述したように、この合成抵抗値Ｒ０(長)によって決定される。この場合、アンテナ９が出力する電波の電界強度Ｅは、上述したように、図３の曲線ａ３に例示される周波数ｆに対する依存性を示す。
【００５０】
このＱ値が決定された状態において、読取指示情報に対応する指示信号Ｓ４がアンテナ９に送信された場合、アンテナ９は、図３に示したように、この指示信号Ｓ４に対応する電界強度Ｅ３の電波を出力する。この電界強度Ｅ３の電波は、図４に示す距離Ｄ３が到達距離になるので、距離Ｄ３までに存在する情報記憶媒体群Ｔ１〜Ｔ３に到達できるとともに、この情報記憶媒体群Ｔ１〜Ｔ３を活性化できる。したがって、制御部１２は、この電界強度Ｅ３の電波を介して、情報記憶媒体群Ｔ１〜Ｔ３に対し、上述した読取情報を得る情報読取処理を達成することができる。
【００５１】
この場合、使用者は、上述した距離指定情報を入力することによって指定した電波の到達距離（距離Ｄ３に例示される長距離）をもとに、情報読取処理が行われた情報記憶媒体群Ｔ１〜Ｔ３と交信領域外の情報記憶媒体群とを容易に見分けることができる。したがって、使用者は、この情報読取処理によって読取情報を読み取り済みの情報記憶媒体と読取情報を読み取れていない情報記憶媒体とを判別するために、交信領域内外に存在する全ての情報記憶媒体のうち、この電界強度Ｅ３の電波を介して情報読取処理が行われた情報記憶媒体群Ｔ１〜Ｔ３について読取情報を読み取ったか否かを確認すればよいので、この確認作業を容易に行うことができる。これによって、使用者は、情報記憶媒体群Ｔ１〜Ｔ３から読取情報を一括して読み取る非接触の情報読取作業を効率的に行うことができる。
【００５２】
また、制御部１２は、情報記憶媒体群Ｔ１〜Ｔ３の各情報記憶媒体に割り振られた識別コードを読取情報とともに得た場合、この識別コードを用いることによって、新規に読み取った読取情報と既に読み取り済みの読取情報とを識別することができる。たとえば、使用者が、上述した中距離までに位置する情報記憶媒体群Ｔ１，Ｔ２に対する情報読取作業（中距離の情報読取作業）を行い、その後、上述した長距離までに位置する情報記憶媒体群Ｔ１〜Ｔ３に対する情報読取作業（長距離の情報読取作業）を行った場合、制御部１２は、この中距離の情報読取作業において得た識別コードと長距離の情報読取作業において得た識別コードとを用いることによって、この長距離の情報読取作業において新規に読み取った読取情報すなわち情報記憶媒体群Ｔ３から得た読取情報と既に読み取り済みの読取情報すなわち情報記憶媒体群Ｔ１，Ｔ２から得た読取情報とを識別することができる。
【００５３】
この場合、使用者は、情報端末装置１を基点に長距離までに位置する情報記憶媒体群（たとえば情報記憶媒体群Ｔ１〜Ｔ３）のうち、情報端末装置１を基点に中距離までに位置する情報記憶媒体群（たとえば情報記憶媒体群Ｔ１，Ｔ２）を除く情報記憶媒体群（すなわち情報記憶媒体群Ｔ３）について読取情報を読み取り済みの情報記憶媒体と読取情報を読み取れていない情報記憶媒体とを判別するために、この長距離の情報読取作業において新規に読み取った読取情報を用い、情報記憶媒体群Ｔ３のみについて読取情報を読み取ったか否かを確認すればよい。これによって、使用者は、この確認作業を容易に行うことができ、情報記憶媒体群Ｔ１〜Ｔ３のうちの情報記憶媒体群Ｔ３の読取情報を一括して読み取る非接触の情報読取作業を効率的に行うことができる。
【００５４】
すなわち、制御部１２は、情報記憶媒体群Ｔ１〜Ｔ３の各情報記憶媒体に割り振られた識別コードを用いることによって、上述した短距離、中距離、および長距離に例示される指定された電波の到達距離毎に、各情報記憶媒体からの読取情報を識別することができる。この場合、使用者は、この電波の到達距離毎に読取情報を読み取り済みの情報記憶媒体と読取情報を読み取れていない情報記憶媒体とを判別する作業を容易に行うことができ、自ら指定した電波の到達距離毎に、情報記憶媒体から読取情報を一括して読み取る非接触の情報読取作業を効率的に行うことができる。
【００５５】
なお、この発明の実施の形態では、使用者が距離指定情報の入力操作を行って指定した電波の到達距離に応じ、可変抵抗器８の合成抵抗値Ｒ０を切り替えることによって、アンテナ９のＱ値を切り替える場合を例示したが、この発明はこれに限定されるものではなく、制御部１２が、入力部２または表示部３から入力された読取指示情報を検知した場合に、この読取指示情報を検知した時点から所定時間毎に、可変抵抗器８の合成抵抗値Ｒ０を切り替える切替制御を自動的に行い、これによって、アンテナ９のＱ値を切り替えてもよい。この場合、この所定時間は、指定された一つの到達距離内の情報記憶媒体群から読取情報を一括して読み取るために十分な時間であることが望ましい。また、制御部１２は、この電波の到達距離が短い距離から長い距離に切り替わるように、すなわちアンテナ９のＱ値を低い値から高い値に変化させるように制御することが望ましい。これによって、使用者は、この電波の到達距離毎に読取情報を読み取り済みの情報記憶媒体と読取情報を読み取れていない情報記憶媒体とを判別する作業を容易に行うことができ、この電波の到達距離毎に情報記憶媒体から読取情報を一括して読み取る非接触の情報読取作業を効率的に行うことができる。
【００５６】
また、この発明の実施の形態では、アンテナ９を構成するコンデンサ９ａの静電容量Ｃ１とコイル９ｂのインダクタンスＬ１とを一定に設定し、可変抵抗器８の合成抵抗値Ｒ０を切り替えることによって、アンテナ９のＱ値を切り替える場合を例示したが、この発明はこれに限定されるものではなく、このコンデンサ９ａの静電容量Ｃ１を変化させることによって、アンテナ９のＱ値を変化させてもよいし、このコイル９ｂのインダクタンスＬ１を変化させることによって、アンテナ９のＱ値を変化させてもよい。
【００５７】
さらに、この発明の実施の形態では、指定される電波の到達距離に応じ、可変抵抗器８の合成抵抗値Ｒ０を３段階に切り替える場合を例示したが、この発明はこれに限定されるものではなく、指定される電波の到達距離に応じ、可変抵抗器８の合成抵抗値Ｒ０を２段階以上に切り替えてもよい。たとえば、可変抵抗器８が図２に例示した構成を有する場合、制御部１２は、この可変抵抗器８の合成抵抗値Ｒ０を最大８段階に切り替える切替制御を行うことができる。すなわち、可変抵抗器８は、上述したように、所定の抵抗値に設定された１以上の抵抗器と、該抵抗器に接続される配線の電気的なオンオフ状態を切り替えるスイッチ回路とを用いることによって、合成抵抗値Ｒ０を２段階以上に切り替え可能な可変抵抗器になる。
【００５８】
また、この発明の実施の形態では、アンテナ９が出力する電波の到達距離を短距離、中距離、および長距離の３段階に分けて指定した場合を例示したが、この発明はこれに限定されるものではなく、アンテナ９が出力する電波の到達距離を２段階以上に分けて指定してもよい。この場合、この電波の到達距離に対応する数値を用いてこの到達距離を２段階以上に分けて指定してもよい。
【００５９】
さらに、この発明の実施の形態では、可変抵抗器８を構成する各抵抗器が並列に接続された場合を例示したが、この発明はこれに限定されるものではなく、可変抵抗器８を構成する各抵抗器が、それぞれ直列に接続されてもよいし、直列に接続された抵抗器と並列に接続された抵抗器を組み合せたものであってもよい。
【００６０】
また、この発明の実施の形態では、使用者が距離指定情報の入力操作を行って指定した電波の到達距離に応じ、制御部１２が可変抵抗器８の合成抵抗値Ｒ０を切り替える場合を例示したが、この発明はこれに限定されるものではなく、使用者が行う距離指定情報の入力操作に連動して抵抗値を変化させるすべり抵抗器等の可変抵抗器を可変抵抗器８に代えて設け、この距離指定情報の入力操作に連動して切り替わる可変抵抗器の抵抗値に応じてアンテナ９のＱ値を変化させてもよい。
【００６１】
さらに、この発明の実施の形態では、この発明にかかる情報端末装置の一例として携帯型のリーダライタを用いた場合を例示したが、この発明はこれに限定されるものではなく、この発明にかかる情報端末装置の一例として、情報記憶媒体に対して非接触にて情報を読み取りまたは書き込むリード／ライト機能を備えたＰＤＡ、携帯電話、またはノート型ＰＣ（Personal Computer）等の各種携帯型の情報端末装置を用いてもよいし、このリード／ライト機能を備えたリーダライタモジュールが設けられたホストコンピュータ等の非携帯型の情報端末装置を用いてもよい。
【００６２】
以上に説明したように、この発明の実施の形態では、交信領域内の情報記憶媒体との間で所定の電波を送受信するアンテナのＱ値を変化させることによって、このアンテナが出力する電波の到達距離を変化させるように構成しているので、複数の情報記憶媒体群のうち、当該情報端末装置を基点としてこの変化させた到達距離までに存在する情報記憶媒体群に対して選択的に情報読取処理を行うことができる。したがって、情報読取処理が行われた情報記憶媒体群と行われていない情報記憶媒体群とを容易に見分けることができ、これによって、この情報読取処理が行われた情報記憶媒体群について、読取対象の情報を読み取れた情報記憶媒体と読み取れなかった情報記憶媒体とを容易に判別することができ、当該情報端末装置を基点として所望の電波の到達距離までに存在する情報記憶媒体群から読取対象の情報を一括して非接触で読み取る情報読取作業を効率的に行える情報端末装置を実現することができる。
【００６３】
また、交信領域内に存在する情報記憶媒体群の各情報記憶媒体に割り振られた識別コードを用いることによって、各情報記憶媒体から読み取った情報を電波の到達距離毎に識別することができる。このことは、読取対象の情報を読み取り済みの情報記憶媒体と読取対象の情報を読み取れていない情報記憶媒体とを電波の到達距離毎に判別する作業を容易にする。したがって、当該情報端末装置を基点として所望の電波の到達距離毎に存在する各情報記憶媒体群から読取対象の情報をそれぞれ一括して非接触で読み取る情報読取作業を効率的に行うことができる。
【００６４】
この発明にかかる情報端末装置を用いることによって、使用者は、この情報端末装置を基点に自ら指定した電波の到達距離までに存在する複数の情報記憶媒体に対し、読取対象の情報を一括して非接触で読み取る情報読取作業を効率的に行うことができる。また、使用者は、読取対象の情報とともに上述した識別コードを読み取るようにこの情報端末装置を操作することによって、この情報端末装置を基点に自ら指定した電波の到達距離毎に存在する各情報記憶媒体群に対し、読取対象の情報を一括して非接触で読み取る情報読取作業をそれぞれ効率的に行うことができる。
【図面の簡単な説明】
【００６５】
【図１】この発明の実施の形態である情報端末装置の一構成例を示すブロック図である。
【図２】可変抵抗器の一構成例を模式的に示す模式図である。
【図３】電波の周波数に対する電界強度の依存性を例示する図である。
【図４】所定の距離毎に存在する情報記憶媒体に対して情報読取処理を行う状態を模式的に例示する模式図である。
【符号の説明】
【００６６】
１  情報端末装置
２  入力部
３  表示部
４  変調回路
５  局部発振器
６  電力増幅器
７  共用器
８  可変抵抗器
９  アンテナ
９ａ  コンデンサ
９ｂ  コイル
１０  復調回路
１１  記憶部
１２  制御部
Ｓ１  抵抗切替信号
Ｓ２〜Ｓ４  指示信号
Ｓ５，Ｓ６  データ信号
【図１】
2005323178.tif 000003
【図２】
2005323178.tif 000004
【図３】
2005323178.tif 000005
【図４】
2005323178.tif 000006